(57)【要約】【課題】画像形成装置において、幅寸法の異なる異種の記録紙を給紙トレイに装填する場合であっても、ユーザに余計な操作を強いることなく、記録紙の前端を適正角度で支持し、給紙不良を防止する。【解決手段】記録紙背面板３１に記録紙Ｐの幅方向にスリット３４を設け、記録紙ガイド部材３２にスリット３４に係合される嵌合凸部３７と、記録紙背面板３１に係合される背面板係合部３８とを設ける。記録紙ガイド部材３２が給紙ローラの側にスライド移動され、嵌合凸部３７がスリット３４の端縁を乗り越えたとき、記録紙ガイド部材３２は嵌合凸部３７の天面において記録紙背面板３１と当接し、該当接部分の近傍は嵌合凸部３７の高さ寸法Ｈに相当する距離だけ記録紙背面板３１から離反され、記録紙ガイド部材３２の後傾角度が大きくなる。これにより、記録紙支持部材２５に対する記録紙Ｐの当接角度が浅くなり、記録紙Ｐが円滑に送出されるようになる。【選択図】図７
2006143373.tif 000002
【特許請求の範囲】
【請求項１】
記録紙を鉛直方向に対して所定の後傾角度の起立姿勢で保持する給紙トレイと、この給紙トレイに対向する所定の位置に設けられ、該給紙ローラに保持された記録紙を装置本体の内部に送出する給紙ローラを含む記録紙搬送手段と、この記録紙搬送手段によって搬送された記録紙に画像を形成する画像形成手段と、前記給紙トレイに保持された記録紙の前端と当接して記録紙を支持する記録紙支持部材とを備え、
前記給紙トレイは、
記録紙の背面と当接する記録紙背面板と、
この記録紙背面板上を記録紙の搬送方向に略直交する幅方向にスライド可能に設けられ、記録紙の幅方向の端縁及びその近傍の背面と当接して記録紙を幅方向にガイドする記録紙ガイド部材とを有する画像形成装置において、
前記記録紙背面板は、記録紙の幅方向に設けられたスリットを有し、
前記記録紙ガイド部材は、
前記記録紙背面板のスリットに係合される嵌合凸部と、この嵌合凸部よりも記録紙の搬送方向の上流側において前記記録紙背面板に係合される背面板係合部とを有し、
前記スリットの前記給紙ローラ側の端縁には、前記記録紙ガイド部材が該給紙ローラ側に移動されたとき、前記嵌合凸部が前記記録紙背面板の後面側から前面側にかけて登坂する第１の傾斜部が設けられ、
前記嵌合凸部の前記給紙ローラ側の端縁には、前記第１の傾斜部に略平行に対向する第２の傾斜部が設けられ、
前記記録紙ガイド部材は、
前記第２の傾斜部が前記第１の傾斜部に当接した後、さらに該第１の傾斜部を乗り越える所定の位置まで前記給紙ローラ側に移動可能であり、
前記第２の傾斜部が前記第１の傾斜部を乗り越えたとき、該記録紙ガイド部材は前記嵌合凸部において前記記録紙背面板と当接し、該当接部分の近傍は前記嵌合凸部の高さ寸法に相当する距離だけ該記録紙背面板から離反され、
これにより、前記記録紙ガイド部材が前記背面板係合部を支点として前記記録紙背面板の前面側に回動し、前記スリットに前記嵌合凸部が係合されている状態よりも前記記録紙ガイド部材の後傾角度が大きくなり、前記記録紙搬送手段によって記録紙を送出する際の前記記録紙支持部材に対する記録紙の前端の当接角度が浅くなり、記録紙支持部材と記録紙の前端との摩擦が低減され、記録紙が円滑に送出されるようにしたことを特徴とする画像形成装置。
【請求項２】
記録紙を鉛直方向に対して所定の後傾角度の起立姿勢で保持する給紙トレイと、この給紙トレイに対向する所定の位置に設けられ、該給紙ローラに保持された記録紙を装置本体の内部に送出する給紙ローラを含む記録紙搬送手段と、この記録紙搬送手段によって搬送された記録紙に画像を形成する画像形成手段と、前記給紙トレイに保持された記録紙の前端と当接して記録紙を支持する記録紙支持部材とを備え、
前記給紙トレイは、
記録紙の背面と当接する記録紙背面板と、
この記録紙背面板上を記録紙の搬送方向に略直交する幅方向にスライド可能に設けられ、記録紙の幅方向の端縁及びその近傍の背面と当接して記録紙を幅方向にガイドする記録紙ガイド部材とを有する画像形成装置において、
前記記録紙背面板は、記録紙の幅方向に設けられたスリットを有し、
前記記録紙ガイド部材は、
前記記録紙背面板のスリットに係合される嵌合凸部と、この嵌合凸部よりも記録紙の搬送方向の上流側において前記記録紙背面板に係合される背面板係合部とを有し、
前記嵌合凸部が前記スリットの前記給紙ローラ側の端縁に当接した後、さらに該端縁を乗り越える所定の位置まで前記給紙ローラ側に移動可能であり、
前記嵌合凸部が前記給紙ローラ側の端縁を乗り越えたとき、該記録紙ガイド部材は前記嵌合凸部において前記記録紙背面板と当接し、該当接部分の近傍は前記嵌合凸部の高さ寸法に相当する距離だけ該記録紙背面板から離反され、
これにより、前記スリットに前記嵌合凸部が係合されている状態よりも前記記録紙ガイド部材の後傾角度が大きくなり、前記記録紙搬送手段によって記録紙を送出する際の前記記録紙支持部材に対する記録紙の前端の当接角度が浅くなり、記録紙支持部材と記録紙の前端との摩擦が低減され、記録紙が円滑に送出されるようにしたことを特徴とする画像形成装置。
【発明の詳細な説明】
【技術分野】
【０００１】
本発明は、記録紙を鉛直方向に対して所定の後傾角度で給紙する給紙トレイを有する画像形成装置に関するものである。
【背景技術】
【０００２】
従来から、記録紙を鉛直方向に対して所定の後傾角度の起立姿勢で保持する傾斜された給紙トレイを有する画像形成装置においては、普通紙のみならず、はがき、封筒等の様々な種類の記録紙が装填されても、紙詰まり等の給紙不良を発生させることなく、円滑に装置内部の画像形成部に送出可能にするために、種々の工夫が施されている。例えば、特許文献１には、給紙トレイに装填された記録紙の前端と当接しながら該記録紙を支持する記録紙支持部材を回転させて、記録紙と記録紙支持部材との摩擦力を調整可能にした画像形成装置が示されている。また、特許文献２には、分離爪によって記録紙を１枚ずつ分離する画像形成装置が示されている。
【特許文献１】特開２０００−８６０００号公報
【特許文献２】特開平６−４７９７１号公報
【発明の開示】
【発明が解決しようとする課題】
【０００３】
上記特許文献１に示された画像形成装置においては、記録紙支持部材の回転角度の調整は、ユーザがレバー部材を操作することによって実現されている。しかしながら、ユーザは、経験によらなければ記録紙と記録紙支持部材との間の最適な摩擦力を知ることができないので、通常とは異なる特殊紙にプリントする際には、その厚み等から記録紙支持部材最適な回転角度を推定して調整する必要がある。ところが、上記回転角度の推定が適切でなかった場合には、上記摩擦力が大きくなりすぎて、記録紙の給紙不良が発生したり、上記摩擦力が小さくなりすぎて、記録紙を適正な位置で支持できなかったりする場合がある。また、異種の記録紙を給紙トレイに装填するたびに、上記レバー部材を操作しなければならないので使い勝手が悪い。
【０００４】
本発明は、上記課題を解決するためになされたものであり、葉書や封筒等の普通紙とは幅寸法及び厚みが異なる種類の記録紙を給紙トレイに装填する場合であっても、ユーザに余計な操作を強いることなく、装填された記録紙の前端を適正角度で支持し、給紙不良を防止することができる画像形成装置を提供することを目的とする。
【課題を解決するための手段】
【０００５】
上記目的を達成するために請求項１の発明は、記録紙を鉛直方向に対して所定の後傾角度の起立姿勢で保持する給紙トレイと、この給紙トレイに対向する所定の位置に設けられ、該給紙ローラに保持された記録紙を装置本体の内部に送出する給紙ローラを含む記録紙搬送手段と、この記録紙搬送手段によって搬送された記録紙に画像を形成する画像形成手段と、給紙トレイに保持された記録紙の前端と当接して記録紙を支持する記録紙支持部材とを備え、給紙トレイは、記録紙の背面と当接する記録紙背面板と、この記録紙背面板上を記録紙の搬送方向に略直交する幅方向にスライド可能に設けられ、記録紙の幅方向の端縁及びその近傍の背面と当接して記録紙を幅方向にガイドする記録紙ガイド部材とを有する画像形成装置において、記録紙背面板は、記録紙の幅方向に設けられたスリットを有し、記録紙ガイド部材は、記録紙背面板のスリットに係合される嵌合凸部と、この嵌合凸部よりも記録紙の搬送方向の上流側において記録紙背面板に係合される背面板係合部とを有し、スリットの給紙ローラ側の端縁には、記録紙ガイド部材が該給紙ローラ側に移動されたとき、嵌合凸部が記録紙背面板の後面側から前面側にかけて登坂する第１の傾斜部が設けられ、嵌合凸部の給紙ローラ側の端縁には、第１の傾斜部に略平行に対向する第２の傾斜部が設けられ、記録紙ガイド部材は、第２の傾斜部が第１の傾斜部に当接した後、さらに該第１の傾斜部を乗り越える所定の位置まで給紙ローラ側に移動可能であり、第２の傾斜部が第１の傾斜部を乗り越えたとき、該記録紙ガイド部材は嵌合凸部において記録紙背面板と当接し、該当接部分の近傍は嵌合凸部の高さ寸法に相当する距離だけ該記録紙背面板から離反され、これにより、記録紙ガイド部材が背面板係合部を支点として記録紙背面板の前面側に回動し、スリットに嵌合凸部が係合されている状態よりも記録紙ガイド部材の後傾角度が大きくなり、記録紙搬送手段によって記録紙を送出する際の記録紙支持部材に対する記録紙の前端の当接角度が浅くなり、記録紙支持部材と記録紙の前端との摩擦が低減され、記録紙が円滑に送出されるようにしたものである。
【０００６】
請求項２の発明は、記録紙を鉛直方向に対して所定の後傾角度の起立姿勢で保持する給紙トレイと、この給紙トレイに対向する所定の位置に設けられ、該給紙ローラに保持された記録紙を装置本体の内部に送出する給紙ローラを含む記録紙搬送手段と、この記録紙搬送手段によって搬送された記録紙に画像を形成する画像形成手段と、給紙トレイに保持された記録紙の前端と当接して記録紙を支持する記録紙支持部材とを備え、給紙トレイは、記録紙の背面と当接する記録紙背面板と、この記録紙背面板上を記録紙の搬送方向に略直交する幅方向にスライド可能に設けられ、記録紙の幅方向の端縁及びその近傍の背面と当接して記録紙を幅方向にガイドする記録紙ガイド部材とを有する画像形成装置において、記録紙背面板は、記録紙の幅方向に設けられたスリットを有し、記録紙ガイド部材は、記録紙背面板のスリットに係合される嵌合凸部と、この嵌合凸部よりも記録紙の搬送方向の上流側において記録紙背面板に係合される背面板係合部とを有し、嵌合凸部がスリットの給紙ローラ側の端縁に当接した後、さらに該端縁を乗り越える所定の位置まで給紙ローラ側に移動可能であり、嵌合凸部が給紙ローラ側の端縁を乗り越えたとき、該記録紙ガイド部材は嵌合凸部において記録紙背面板と当接し、該当接部分の近傍は嵌合凸部の高さ寸法に相当する距離だけ該記録紙背面板から離反され、これにより、スリットに嵌合凸部が係合されている状態よりも記録紙ガイド部材の後傾角度が大きくなり、記録紙搬送手段によって記録紙を送出する際の記録紙支持部材に対する記録紙の前端の当接角度が浅くなり、記録紙支持部材と記録紙の前端との摩擦が低減され、記録紙が円滑に送出されるようにしたものである。
【発明の効果】
【０００７】
請求項１の発明によれば、記録紙ガイド部材の第２の傾斜部が第１の傾斜部を乗り越えるまで記録紙ガイド部材が給紙ローラ側に移動されると、記録紙ガイド部材の嵌合凸部の近傍が嵌合凸部の高さ寸法に相当する距離だけ該記録紙背面板から離反されるので、記録紙ガイド部材が背面板係合部を支点として記録紙背面板の前面側に回動し、記録紙ガイド部材の後傾角度が大きくなる。これにより、記録紙が給紙ローラとの当接部から前端にかけて湾曲し、記録紙支持部材に対する記録紙の前端の当接角度が浅くなり、記録紙支持部材と記録紙の前端の当接部における摩擦が低減される。特に比較的厚みが厚く曲げ剛性の高い葉書や封筒は、一般にその幅寸法が小さい場合が多い。従って、ユーザは、記録紙の厚みを気にすることなく記録紙の幅寸法に応じて記録紙ガイド部材をスライドさせるだけで、それに連動して記録紙支持部材に対する記録紙の前端の当接角度が記録紙の厚みに応じて適正化され、記録紙が円滑に送出されるようになり、給紙不良を防止することができる。
【０００８】
また、記録紙が封筒である場合、その種類によっては、幅方向の左右両端において重ね合わせ枚数が異なり、それに伴い両端における厚みや曲げ剛性が異なるものがある。このような特殊な封筒に画像を形成する際には、より厚く曲げ剛性の高い側の端縁が記録紙ガイド部材でガイドされるように、封筒を給紙トレイに載置することにより、記録紙の前端と記録紙支持部材との引っ掛かりを少なくすることができ、給紙不良を防止することができる。
【０００９】
また、上述したように、記録紙支持部材と記録紙の前端の当接部における摩擦が低減されるので、給紙ローラを回転駆動するための給紙用モータの負荷が低減される。これにより、給紙用モータとして従来よりも出力の低いモータを使用することが可能となり、画像形成装置のコストダウンを図ることができる。また、記録紙背面板に形成されているスリットの給紙ローラ側の端縁には第１の傾斜部が設けられ、記録紙ガイド部材に形成されている嵌合凸部の給紙ローラ側の端縁には、該第１の傾斜部に略平行に対向する第２の傾斜部が設けられているので、嵌合凸部が記録紙背面板上に容易に乗り上げ可能となり、記録紙ガイド部材の移動を円滑にして、操作性の向上を図ることができる。
【００１０】
請求項２の発明によれば、記録紙ガイド部材の嵌合凸部がスリットの端縁を乗り越えるまで記録紙ガイド部材が給紙ローラ側に移動されると、記録紙ガイド部材の嵌合凸部の近傍が嵌合凸部の高さ寸法に相当する距離だけ該記録紙背面板から離反されるので、記録紙ガイド部材が記録紙背面板の前面側に回動し、記録紙ガイド部材の後傾角度が大きくなる。これにより、記録紙が給紙ローラとの当接部から前端にかけて湾曲し、記録紙支持部材に対する記録紙の前端の当接角度が浅くなり、記録紙支持部材と記録紙の前端の当接部における摩擦が低減される。特に比較的厚みが厚く曲げ剛性の高い葉書や封筒は、一般にその幅寸法が小さい場合が多い。従って、ユーザは、記録紙の厚みを気にすることなく記録紙の幅寸法に応じて記録紙ガイド部材をスライドさせるだけで、それに連動して記録紙支持部材に対する記録紙の前端の当接角度が記録紙の厚みに応じて適正化され、記録紙が円滑に送出されるようになり、給紙不良を防止することができる。
【００１１】
また、記録紙が封筒である場合、その種類によっては、幅方向の左右両端において重ね合わせ枚数が異なり、それに伴い両端における厚みや曲げ剛性が異なるものがある。このような特殊な封筒に画像を形成する際には、より厚く曲げ剛性の高い側の端縁が記録紙ガイド部材でガイドされるように、封筒を給紙トレイに載置することにより、記録紙の前端と記録紙支持部材との引っ掛かりを少なくすることができ、給紙不良を防止することができる。
【００１２】
また、上述したように、記録紙支持部材と記録紙の前端の当接部における摩擦が低減されるので、給紙ローラを回転駆動するための給紙用モータの負荷が低減される。これにより、給紙用モータとして従来よりも出力の低いモータを使用することが可能となり、画像形成装置のコストダウンを図ることができる。
【発明を実施するための最良の形態】
【００１３】
本発明の一実施形態による紙送り機構を備えたインクジェットプリンタについて図面を参照して説明する。図１はインクジェットプリンタを示している。インクジェットプリンタ（以下、プリンタと記す）１は、フィードモータ２の出力を受け、給紙トレイ３に載置された記録紙Ｐをプリンタ１の本体内に搬送する記録紙搬送機構４と、フィードモータ２の回転をＰＷＭ制御するモータ制御回路５と、フィードされた記録紙Ｐにインクを吐出するヘッド６を有するインクカートリッジ（画像形成手段）７と、インクカートリッジ７を挿脱自在に収容するキャリッジ８等によって構成される。キャリッジ８はシャフト９によって記録紙Ｐの搬送方向に直交する走査方向にスライド移動自在に支持され、ヘッド駆動モータ１０によって駆動されてスライド移動する。ヘッド駆動モータ１０の出力は、ベルト１１を介してキャリッジ８に伝達される。上記各部品は、プリンタ１のキャビネット１２に収容されている。
【００１４】
給紙トレイ３は、プリンタ１の後部に設けられており、記録紙Ｐを鉛直方向に対して所定の後傾角度の起立姿勢で保持する。記録紙搬送機構４は、給紙トレイ３に載置された記録紙Ｐをヘッド６の側に送出する給紙ローラ２１と、給紙ローラ２１によって送出され、ヘッド６によって画像が形成された記録紙Ｐを排出するための排紙ローラ２２と、ベルト２３及びギア２４を介して給紙ローラ２１及び排紙ローラ２２を駆動するフィードモータ２等によって構成されている。給紙ローラ２１は、支持アーム３９（図２参照）によって片持ち支持され、給紙トレイ３の前面下部において給紙トレイ３に対向するように設けられている。記録紙Ｐの載置量に応じて支持アーム３９が回動し、記録紙Ｐと給紙ローラ２１の当接状態が維持される。また、給紙トレイ３の下端には、給紙トレイ３に保持されている記録紙Ｐの前端と当接して記録紙Ｐを支持する記録紙支持部材２５が設けられている。
【００１５】
モータ制御回路５は、ＰＷＭ制御によってフィードモータ２を制御する。フィードモータ２の駆動電圧を上げることにより、ＰＷＭデューティが増加し、フィードモータ２の回転数が上昇する。逆に、フィードモータ２の駆動電圧を下げることにより、ＰＷＭデューティが減少し、フィードモータ２の回転数が下降する。
【００１６】
図２は、給紙トレイ３及びその周辺の構成を示している。給紙トレイ３は、記録紙Ｐの背面と当接する記録紙背面板３１と、記録紙背面板３１の上を記録紙Ｐの搬送方向に略直交する記録紙Ｐの幅方向（矢印Ａ方向）にスライド可能に設けられた記録紙ガイド部材３２とを有している。記録紙ガイド部材３２は、記録紙Ｐの幅方向の端縁及びその近傍の背面と当接して記録紙Ｐを幅方向にガイドする。同図において、記録紙ガイド部材３２のスライド可能範囲を端縁当接部３５（図３参照）の内面（記録紙Ｐの端縁と当接する面）の位置ＰＯＳ１−ＰＯＳ２で示す。封筒等の幅の狭い特殊な記録紙Ｐに画像を形成する際には、記録紙ガイド部材３２をＰＯＳ２の近傍位置までスライドさせた状態で使用する。
【００１７】
図３は記録紙背面板３１及び記録紙ガイド部材３２を示し、図４は後面側から観た記録紙ガイド部材３２を示している。記録紙背面板３１は、記録紙Ｐの幅方向に設けられたスリット３４を有している。記録紙ガイド部材３２は、記録紙Ｐの端縁と当接する端縁当接部３５と、端縁当接部３５に略直交し、記録紙Ｐの背面と当接する記録紙背面当接部３６と、記録紙背面板３１のスリット３４に嵌合される嵌合凸部３７と、嵌合凸部３７よりも記録紙Ｐの搬送方向の上流側において記録紙背面板３１に係合される背面板係合部３８とを有している。嵌合凸部３７及び背面板係合部３８は、記録紙背面当接部３６の後面側に設けられている。背面板係合部３８は、記録紙背面当接部３６の端縁を後面側に折り返すように延出され、記録紙背面当接部３６に対して略平行に対向するように形成されている。記録紙ガイド部材３２は、背面板係合部３８を支点として記録紙背面板３１の前面側に回動可能となるように記録紙背面板３１に係合されている。
【００１８】
スリット３４の給紙ローラ２１の側の端縁には、記録紙ガイド部材３２が給紙ローラ２１の側に移動されたとき、嵌合凸部３７が記録紙背面板３１の後面側から前面側にかけて登坂する第１の傾斜部４１が設けられている。また、嵌合凸部３７の給紙ローラ２１の側の端縁には、第１の傾斜部４１に略平行に対向する第２の傾斜部４２が設けられている。図２中ＰＯＳ２に示す位置まで記録紙ガイド部材３２がスライドされた場合、第２の傾斜部４２は第１の傾斜部４１に当接した後さらに第１の傾斜部４１を乗り越え、記録紙ガイド部材３２は嵌合凸部３７の天面４３において記録紙背面板３１と当接することになる。
【００１９】
図５は記録紙ガイド部材が図２においてＰＯＳ１の近傍位置にセットされているときの、給紙トレイ３とその周辺の断面図を示している。この状態では記録紙ガイド部材３２の嵌合凸部３７は、スリット３４に嵌合されており、記録紙ガイド部材３２の背面は記録紙背面板３１の前面に当接されている。このとき、記録紙Ｐの前端の後傾角度、すなわち記録紙支持部材２５の上面に対する記録紙Ｐの前端の当接角度はθ１で示される。
【００２０】
図６は記録紙ガイド部材３２が給紙ローラ２１の側に移動されたときの記録紙背面板３１に対する記録紙ガイド部材３２の位置関係の変化を示している。記録紙ガイド部材３２の嵌合凸部３７の天面４３がスリット３４に嵌合された状態（図中一点鎖線で示した状態）から、記録紙ガイド部材３２が給紙ローラ２１の側に移動されると、まず、第２の傾斜部４２が第１の傾斜部４１に当接する。そして、さらに記録紙ガイド部材３２が給紙ローラ２１の側に移動されると、第２の傾斜部４２が第１の傾斜部４１を乗り越えて、記録紙ガイド部材３２は嵌合凸部３７において記録紙背面板３１と当接するようになる。このとき、記録紙ガイド部材３２の嵌合凸部３７の近傍は嵌合凸部３７の高さ寸法Ｈに相当する距離だけ記録紙背面板３１から前方に離反されることになる。
【００２１】
図７は記録紙ガイド部材３２が図２においてＰＯＳ２に示す位置まで移動されたときの給紙トレイ３とその周辺の断面図を示している。記録紙ガイド部材３２がＰＯＳ２まで移動されると、記録紙ガイド部材３２の嵌合凸部３７の近傍は、図６に示したように、嵌合凸部３７の高さ寸法Ｈに相当する距離だけ記録紙背面板３１から前方に離反され、記録紙ガイド部材３２が背面板係合部３８を支点として記録紙背面板３１の前面側に回動する。このときの記録紙Ｐの前端の当接角度θ２は、上述したスリット３４に嵌合凸部３７が係合されている状態の当接角度θ１よりも大きくなる。これにより、記録紙ガイド部材３２の後傾角度が大きくなり、記録紙Ｐが給紙ローラ２１との当接部から前端にかけて湾曲し、記録紙支持部材２５に対する記録紙Ｐの前端の当接角度が浅くなり、記録紙支持部材２５と記録紙Ｐの前端との摩擦が低減される。
【００２２】
なお、通常、記録紙Ｐは、プリンタ１の各仕向け地ごとに異なる種類のものが普及している。ところが、比較的厚みが厚く曲げ剛性の高い葉書や封筒は、一般にその幅寸法が小さい場合が多い。従って、各仕向け地ごとに普及している記録紙Ｐに応じてスリット３４の幅寸法や、嵌合凸部３７の配設位置及び高さ寸法を最適化することにより、ユーザは記録紙Ｐの幅寸法に応じて記録紙ガイド部材３２をスライドさせるだけで、それに連動して記録紙ガイド部材３２が回動し、記録紙支持部材２５に対する記録紙Ｐの前端の当接角度が記録紙Ｐの厚みに応じて適正化されることになる。
【００２３】
以上のように、本実施形態のプリンタ１によれば、記録紙ガイド部材３２の第２の傾斜部４２が第１の傾斜部４１を乗り越えるまで、記録紙ガイド部材３２が給紙ローラ２１の側に移動されたとき、記録紙ガイド部材３２の嵌合凸部３７の近傍が嵌合凸部３７の高さ寸法Ｈに相当する距離だけ記録紙背面板３１から離反されるので、記録紙ガイド部材３２が背面板係合部３８を支点として記録紙背面板３１の前面側に回動し、記録紙ガイド部材３２の後傾角度が大きくなる。これにより、記録紙Ｐの前端の後傾角度が大きくなり、すなわち、記録紙支持部材２５に対する記録紙Ｐの前端の当接角度が浅くなり、記録紙支持部材２５と記録紙Ｐの前端の当接部における摩擦が低減される。特に比較的厚みが厚く曲げ剛性の高い葉書や封筒は、一般にその幅寸法が小さい場合が多い。従って、ユーザは、記録紙Ｐの厚みを気にすることなく記録紙Ｐの幅寸法に応じて記録紙ガイド部材３２をスライドさせるだけで、それに連動して記録紙支持部材２５に対する記録紙Ｐの前端の当接角度が記録紙Ｐの厚みに応じて適正化され、記録紙Ｐが円滑に送出されるようになり、給紙不良を防止することができる。
【００２４】
また、記録紙Ｐが封筒である場合、その種類によっては、幅方向の左右両端において重ね合わせ枚数が異なり、それに伴い両端における厚みや曲げ剛性が異なるものがある。このような特殊な封筒に画像を形成する際には、より厚く曲げ剛性の高い側の端縁が記録紙ガイド部材３２でガイドされるように、封筒を給紙トレイ３に載置することにより、記録紙Ｐの前端と記録紙支持部材２５との引っ掛かりを少なくすることができ、給紙不良を防止することができる。
【００２５】
また、上述したように、記録紙支持部材２５と記録紙Ｐの前端の当接部における摩擦が低減されるので、給紙ローラ２１を回転駆動するためのフィードモータ２の負荷が低減される。これにより、フィードモータ２として従来よりも出力の低いモータを使用することが可能となり、プリンタ１のコストダウンを図ることができる。また、記録紙背面板３１のスリット３４には第１の傾斜部４１が設けられ、嵌合凸部３７の端縁には、第２の傾斜部４２が設けられているので、嵌合凸部３７が記録紙背面板３１の上に容易に乗り上げ可能となり、記録紙ガイド部材３２の移動を円滑にして、操作性の向上を図ることができる。
【００２６】
なお、本発明は上記実施形態の構成に限られることなく種々の変形が可能である。例えば、図２においては、向って左側に配置されている記録紙ガイド部材３２をスライドさせることにより、記録紙Ｐの幅に応じて記録紙ガイド部材３２の位置を調整するようにしているが、給紙ローラ２１を挟んで右側にも同等の記録紙ガイド部材３２を設け、これらを連動させてスライドできるように構成してもよい。また、スリット３４及び嵌合凸部３７の給紙ローラ２１の側の端縁の形状は、嵌合凸部３７がスリット３４の端縁を乗り越え易い形状であれば図３及び図４に示したものに限られることなく、例えば球面状に形成されていてもよい。
【図面の簡単な説明】
【００２７】
【図１】本発明の一実施形態によるプリンタ構成を示す図。
【図２】同プリンタの給紙トレイ及びその周辺の構成を示す正面図。
【図３】同給紙トレイの記録紙背面板及び記録紙ガイド部材を示す斜視図。
【図４】記録紙ガイド部材を背面側から観た斜視図。
【図５】記録紙ガイド部材が図２においてＰＯＳ１の近傍位置にセットされているときの給紙トレイの状態を示す断面図。
【図６】記録紙ガイド部材が給紙ローラ側に移動されたときの記録紙背面板に対する記録紙ガイド部材の位置関係の変化を示す断面図。
【図７】記録紙ガイド部材が図２においてＰＯＳ２に示す位置まで移動されたときの給紙トレイの状態を示す断面図。
【符号の説明】
【００２８】
１    インクジェットプリンタ
３    給紙トレイ
４    記録紙搬送機構
７    インクカートリッジ（画像形成手段）
２１    給紙ローラ
２５    記録紙支持部材
３１    記録紙背面板
３２    記録紙ガイド部材
３４    スリット
３７    嵌合凸部
３８    背面板係合部
４１    第１の傾斜部
４２    第２の傾斜部
【図１】
2006143373.tif 000003
【図２】
2006143373.tif 000004
【図３】
2006143373.tif 000005
【図４】
2006143373.tif 000006
【図５】
2006143373.tif 000007
【図６】
2006143373.tif 000008
【図７】
2006143373.tif 000009